(57)【要約】      （修正有）【課題】照明角度の調整可能な携帯用の他用途光電子探照灯を提供する。【解決手段】上記携帯用の多用途光電子探照灯は、内チャンバーを有し、一端に集光灯ユニットが設置される灯体と、当該灯体の内チャンバーに収納され、当該集光灯ユニットに電気的に接続される電源回路装置を備える。当該灯体の一つの側面には、照明角度が調節可能な救急警告灯柱と、照明角度が調節可能な超光LED照射灯が設けられ、当該灯体の他の側面には、照明角度が調節可能である、二つの光電子冷陰極蛍光灯が設けられ、且つ、当該灯体には、当該灯体との挟角を回動可能に調節するための脚架が接続されている。上記脚架は、異なる位置の間で調節可能であり、任意の位置に緊固することができ、上記各光源も調節可能である。従って、ユーザーは、当該携帯用の多用途光電子探照灯を用いて最適な照明角度まで調節することができる。【選択図】図１
0003113977.tif 000002
【実用新案登録請求の範囲】
【請求項１】
内チャンバーを有し、一端に集光灯ユニット（2）が設置される灯体（1）と、当該灯体（1）の内チャンバーに収納され、当該集光灯ユニット（2）に電気的に接続される電源回路装置（10）を備える携帯用の多用途光電子探照灯において、
当該灯体（1）の一つの側面には、照明角度が調節可能な救急警告灯柱（25）と、照明角度が調節可能な超光LED照射灯（26）が設けられ、当該灯体（1）の他の側面には、照明角度が調節可能である、二つの光電子冷陰極蛍光灯（42、54）が設けられ、
且つ、当該灯体（1）には、当該灯体（1）との挟角を回動可能に調節するための脚架（18、19）が接続されていることを特徴とする携帯用の多用途光電子探照灯。
【請求項２】
当該灯体（1）には、長角柱の形状のグリップ（15）が更に設けられていることを特徴とする請求項１に記載の携帯用の多用途光電子探照灯。
【請求項３】
当該灯体（1）の内チャンバーには、少なくとも一つの切換スイッチボタン（12）と、少なくとも一つの外接ソケット（11）、及び少なくとも一つの電源が設けられていることを特徴とする請求項１に記載の携帯用の多用途光電子探照灯。
【請求項４】
当該集光灯ユニット（2）は、少なくとも一つの電球（3）と一つの弧面の反射部材（4）を備えることを特徴とする請求項１に記載の携帯用の多用途光電子探照灯。
【請求項５】
上記脚架（18、19）は、一つの長脚架（18）と一つの短脚架（19）を備え、上記長脚架（18）と短脚架（19）は、それぞれ対応する回動ヒンジの周りに回動可能であり、かつ、当該灯体（1）の調整可能な支持部材として機能することを特徴とする請求項1に記載の携帯用の多用途光電子探照灯。
【請求項６】
上記脚架（18、19）は、ロック部材（20）の締付或いは緩めにより固定されることを特徴とする請求項5に記載の携帯用の多用途光電子探照灯。
【請求項７】
上記短脚架（19）は、上記長脚架（18）上に設けられ、上記長脚架（18）を介して灯体（1）と接続されることを特徴とする請求項5又は6に記載の携帯用の多用途光電子探照灯。
【請求項８】
上記照明角度が調節可能である、二つの光電子冷陰極蛍光灯（42、54）は、一端がそれぞれ連結部材（48）に接続され、且つ、互いに並行に折り重ね可能であることを特徴とする請求項1に記載の携帯用の多用途光電子探照灯。
【請求項９】
上記救急警告灯柱（25）と、超光LED照射灯（26）と、光電子冷陰極蛍光灯（42、54）とは、それぞれ回動接続部品により角度の調節を行い、当該回動接続部品は、カップリング継手（27、37、43、51、57）及び輪状の固定ガイド（28、38、44、50、56）を備え、当該カップリング継手（27、37、43、51、57）は、その上にギア歯（30、40、46、52、58）が設けられる円周表面を有し、当該輪状の固定ガイド（28、38、44、50、56）は、当該カップリング継手（27、37、43、51、57）の円周表面と配合装着される円周表面を有し、当該輪状の固定ガイド（28、38、44、50、56）の円周表面には、少なくとも一つの上記ギア歯（30、40、46、52、58）と噛合うための噛合い歯（31、41、47、53、59）が設けられていることを特徴とする請求項1または請求項8に記載の携帯用の多用途光電子探照灯。
【考案の詳細な説明】
【技術分野】
【０００１】
本実用新案は、携帯用の多用途光電子探照灯に関し、特に手持ち可能な探照灯に関したものである。
【背景技術】
【０００２】
従来、様々な形態の光電子探照灯が公開されており、また、多くの暗い夜の室外作業にはこのような光電子探照灯が必要であり、それは、体積が小さく、持運びに便利である。しかしながら、従来の光電子探照灯は、比較的に簡単な構造しか有していなく、一般的には調節することができず、且つ、手で持ち、或いは相応な部品、例えば仕事用帽子に固定しなければならなかったため、人間が異なる環境で使用することを制限されている。
【０００３】
従って、光電子探照灯が有効な発光の明るさを有するだけでなく、使用者の異なる環境での要求も満足できるため、どうすればいいのかは、従業者がずっと求めている目標である。
【０００４】
従って、本実用新案は、携帯用の多用途光電子探照灯の新型設計を提供し、実際の使用環境によって相応な調節を行うようにして、且つ、有効な照明を実現できる。
【考案の開示】
【考案が解決しようとする課題】
【０００５】
本実用新案は、携帯用の多用途光電子探照灯に対する、新規で且つ改良された設計を提供することを目的とする。
【課題を解決するための手段】
【０００６】
本実用新案に係る携帯用の多用途光電子探照灯は、五つの光源を有する一つの灯体と、一つのグリップと、二つの脚架を備える。上記グリップと灯体とは、一つの水平線になり、ユーザーが握り易いようにする。上記脚架は、回動可能なヒンジの周りに回動可能であり、且つ、少なくとも270°の円弧範囲内で任意の位置まで回動することができ、これにより、灯体に支持を与え、一つの平面上に載置することができ、最適な照明角度が得られる。
【０００７】
具体的には、本実用新案に係る携帯用の多用途光電子探照灯は、内チャンバーを有し、一端に集光灯ユニットが設置される灯体と、当該灯体の内チャンバーに収納され、当該集光灯ユニットに電気的に接続される電源回路装置を備える携帯用の多用途光電子探照灯であって、当該灯体の一つの側面には、照明角度が調節可能なLED（発光ダイオード）救急警告灯柱と、照明角度が調節可能な超光LED照射灯が設けられ、当該灯体の他の側面には、照明角度が調節可能である、二つの光電子冷陰極蛍光灯が設けられ、且つ、当該灯体には、当該灯体との挟角を回動可能に調節するための脚架が接続されていることを特徴とする。
【０００８】
又、上記携帯用の多用途光電子探照灯において、当該灯体には、長角柱の形状のグリップが更に設けられていることを特徴とする。
【０００９】
上記携帯用の多用途光電子探照灯において、当該灯体の内チャンバーには、少なくとも一つの切換スイッチボタンと、少なくとも一つの外接ソケット、及び少なくとも一つの電源が設けられていることを特徴とする。
【００１０】
上記携帯用の多用途光電子探照灯において、当該集光灯ユニットは、少なくとも一つの電球と一つの弧面の反射部材を備えることを特徴とする。
【００１１】
上記携帯用の多用途光電子探照灯において、上記脚架は、一つの長脚架と一つの短脚架を備え、上記長脚架と短脚架は、それぞれ対応する回動ヒンジの周りに回動可能であり、かつ、当該灯体の調整可能な支持部材として機能することを特徴とする。
【００１２】
上記携帯用の多用途光電子探照灯において、上記脚架は、ロック部材の締付或いは緩めにより固定されることを特徴とする。
【００１３】
上記携帯用の多用途光電子探照灯において、上記短脚架は、上記長脚架上に設けられ、上記長脚架を介して灯体と接続されることを特徴とする。
【００１４】
上記携帯用の多用途光電子探照灯において、上記照明角度が調節可能である、二つの光電子冷陰極蛍光灯は、一端がそれぞれ連結部材に接続され、且つ、互いに並行に折り重ね可能であることを特徴とする。
【００１５】
上記携帯用の多用途光電子探照灯において、上記救急警告灯柱と、超光LED照射灯と、光電子冷陰極蛍光灯とは、それぞれ回動接続部品により角度の調節を行い、当該回動接続部品は、カップリング継手及び輪状の固定ガイドを備え、当該カップリング継手は、その上にギア歯が設けられる円周表面を有し、当該輪状の固定ガイドは、当該カップリング継手の円周表面と配合装着される円周表面を有し、当該輪状の固定ガイドの円周表面には、少なくとも一つの上記ギア歯と噛合うための噛合い歯が設けられていることを特徴とする。
【考案の効果】
【００１６】
本実用新案に係る携帯用の多用途光電子探照灯の光源及び脚架は、いずれもユーザーの実際の必要に応じて調節可能であり、このため、十分な照明を実現できると同時に、最適な照明角度も実現できる。
【考案を実施するための最良の形態】
【００１７】
以下、図面を参照して本実用新案の具体的な実施の形態について説明すると共に、本実用新案の他の特徴に対しても説明する。
【００１８】
図1と、図3乃至図7は、それぞれ本実用新案に係る携帯用の多用途光電子探照灯の正面図と、平面図と、底面図と、左側面図と、右側面図、及び背面図であり、図2は、図1に示す携帯用の多用途光電子探照灯の縦断面図であり、図8は、図1に示す携帯用の多用途光電子探照灯の斜視図である。
【００１９】
図2と図12に示すように、本実用新案の携帯用の多用途光電子探照灯は、通常は長角柱の構造または長円柱の構造である灯体1を備え、灯体1の先端に、一つの集光灯ユニット2が取付けられ、当該集光灯ユニット2は、電球3と、弧面の反射部材と、ガラス或いは他の透明材からなる前平板部材5を備える。当該弧面の反射部材は、通常は放物面の形状の光反射ミラー4である。オー・リング6を用いて前平板部材5の内側面と光反射ミラー4の外端面を密閉し、前輪状の灯蓋7を着脱可能に灯体1の先端に固定する。上記灯蓋7の先端に、ゴム或いはプラスチック材の構造の輪状の防震蓋8があり、当該輪状の防震蓋8は、灯蓋7の先端に着脱可能に固定され、且つ、光電子探照灯が外部からの震動力に耐えうるようにする。
【００２０】
図面に示すように、集光灯ユニット2の電球3は、灯体2内の電源9により給電され、電源9は、ワイヤを介して灯体1内の電源回路装置10と、外接ソケット11と、切換スイッチボタン12とに接続されている。従って、光源である電球3は、外部電源に電気的に接続されることにより動作可能であり、いうまでもなく、電球3は、電池により給電されることも可能であり、その電池は、充電可能な電池であってもよい。
【００２１】
上記電源9は、電池保護ケース13内に設けられ、電源9が外部からの震動力に耐えうるようにする。
【００２２】
上記外接ソケット11は、灯体1の外挿孔部材14の内表面に密接している。
【００２３】
グリップ15は、略長角柱のような構造になり、灯体1に固定接続され、ユーザーが当該携帯用の多用途光電子探照灯を快適に握るようにする。当該グリップ15の左、右両端には、いずれもボールドリク・バックル16が設けられ、ユーザーがボールドリクを介して持上げることができるようにする。当該グリップ15の上、下両側に、いずれもゴム或いは他のプラスチック材により作成された手握り部17が設けられ、ユーザーがグリップ15をより快適に握るようにする。
【００２４】
長脚架18と短脚架19は、灯体1と回動可能に接続され、ロック部材20を調整することにより、長脚架18と短脚架19とを所望の位置に緊固締め止めることができる。長脚架18と短脚架19は、回動可能なヒンジの周りに回動可能であり、且つ、少なくとも270°の円弧範囲内で任意の位置まで回転でき、これにより、上記脚架は、灯体に少なくとも270°の円弧範囲内で必要に応じて変更する支持を提供し、最適な照明角度が得られるようにする。例えば、調節をした脚架を一つの平面上に置いて、移動設置可能な固定光源として用いることができる。二つの脚架をそれぞれ90°以上に調節すると、当該携帯用の多用途光電子探照灯をユーザーの肩に置くことができ、遠い所まで照明するようにする。
【００２５】
灯体1の後端に、一つの分離可能な電池カバー21が設けられ、上記電池カバー21の両側端には、いずれも金属バックル22が設けられ、当該金属バックル22は、灯体1の後端にある可動鍵23に係り止め、当該可動鍵23は、灯体1に固定接続される。上記可動鍵23を押し動かせば、金属バックル22は灯体1に係り止めせず、これにより、電池カバー21は、灯体1から分離することができ、ユーザーが電池を交換できるようにする。当該電池カバー21の表面には、更に一つのゴム或いはプラスチック材からなる後カバー防震蓋24が設けられ、当該後カバー防震蓋24は、電池カバー21の表面に着脱可能に固定され、携帯用の多用途光電子探照灯が外部からの震動力に耐えうるようにする。
【００２６】
灯体1の一側には、照明角度が調節可能な救急警告灯柱25と照明角度が調節可能な超光LED照射灯26が設けられている。当該救急警告灯柱25は、LED救急警告灯柱でもよく、長角柱の構造を有し、且つ、そのハウジングは、ガラス或いは他の透明材からなり、当該救急警告灯柱25は、灯体1と回動可能に接続されている。救急警告灯柱25と超光LED照射灯26の角度の調節は、回動接続部品により実現可能である。図13に示すように、カップリング継手27は、救急警告灯柱25の一端に固定され、弾性を有する輪状の固定ガイド28は、灯体1側面の連結軸29に緊固に設置され、灯体1の連結軸29と輪状の固定ガイド28は、カップリング継手27のギア歯30に回動可能に挿入されている。輪状の固定ガイド28の内周面上から少なくとも一つの噛合い歯31が突き出され、選択的に複数のギア歯30と噛合うために用いられ、灯体1に対する救急警告灯柱25の回動位置を固定するようにし、また、ギア歯30は、カップリング継手27の外周表面上に均一的に形成されている。救急警告灯柱25は、カップリング継手27を介して灯体1の連結軸29に回動可能に接続され、灯体1と救急警告灯柱25の間の挟角を回動可能に調節するようにし、これにより、上記救急警告灯柱25は、光源の照明角度を調節できるようになる。上記救急警告灯柱25内には、五つ（或いは他の数）のLED32が設けられ、点滅する救急光源を発するためである。上記救急警告灯柱25の他端には、照明角度が調節可能な超光LED照射灯26が回動可能に接続され、当該超光LED照射灯26は、灯蓋33と、ガラス或いは他の透明材からなる平面部材34と、通常は放物面形状である光反射ミラー35、及び一つの超光LED電球36を備える。図14に示すように、上記超光LED照射灯26の一端には、カップリング継手37が設けられ、更に、弾性を有する輪状の固定ガイド38が設けられ、それが救急警告灯柱25側の一端の連結軸39内に緊固に設けられ、また、救急警告灯柱25の連結軸39と輪状の固定ガイド38は、カップリング継手37のギア歯40内に回動可能に挿入されている。輪状の固定ガイド38の外周表面上から少なくとも一つの噛合い歯41が突き出され、選択的に複数のギア歯40と噛合うために用いられ、超光LED照射灯26に対する救急警告灯柱25の回動位置を固定するようにし、ギア歯40はカップリング継手37の内周表面上に均一的に形成されている。超光LED照射灯26は、カップリング継手37を介して救急警告灯柱25の連結軸39に回動可能に接続され、超光LED照射灯26と救急警告灯柱25の間の挟角を回動可能に調節するようにし、これにより、光源の照明角度を調節できるようになる。
【００２７】
同時に図11も参照するように、これは、図1に示す携帯用の多用途光電子探照灯の他の状態の背面図であり、ここでは、救急警告灯柱25と灯体1との挟角が90°になり、超光LED照射灯26と救急警告灯柱25が、90°、180°及び270°になる際の概略図を示している。
【００２８】
灯体1の他端には、照明角度が調節可能な光電子冷陰極蛍光灯42が設けられ、当該光電子冷陰極蛍光灯42は、更に他の一つの光電子冷陰極蛍光灯54と並行して接続されている。光電子冷陰極蛍光灯42、54は、長角柱の構造を有し、且つ、そのハウジングは、ガラス或いは他の透明材からなり、当該光電子冷陰極蛍光灯42、54は、灯体1と回動可能に接続されている。
【００２９】
図15に示すように、カップリング継手43は、光電子冷陰極蛍光灯42の一端に固定され、弾性を有する輪状の固定ガイド44は、灯体1の他の一側面の連結軸45に緊固に設置され、また、灯体1の連結軸45と輪状の固定ガイド44は、カップリング継手43のギア歯46に回動可能に挿入されている。輪状の固定ガイド44の内周表面上から少なくとも一つの噛合い歯47が突き出され、選択的に複数のギア歯46と噛合うために用いられ、灯体1に対する光電子冷陰極蛍光灯42の回動位置を固定するようにし、ギア歯46はカップリング継手43の外周表面上に均一的に形成されている。光電子冷陰極蛍光灯42は、上記カップリング継手43を介して灯体1の連結軸45に回動可能に接続され、灯体1と光電子冷陰極蛍光灯42との間の挟角を回動可能に調節するようにし、これにより、光源の照明角度を調節できるようになる。図15において、上記接続関係をより明瞭にするため、他の光電子冷陰極蛍光灯42と接続する部品は、図15で省略されている。
【００３０】
また、光電子冷陰極蛍光灯42の他端は、回動接続部品を介して光電子冷陰極蛍光灯54の一端に接続されている。図16において、光電子冷陰極蛍光灯42の他端が連結部材48の一端に接続されるが、当該連結部材48の他端が光電子冷陰極蛍光灯54に接続される際の分解概略図を示す。また、当該光電子冷陰極蛍光灯42、54は、それぞれ連結部材48に回動可能に接続されている。図16に示すように、連結軸49は、連結部材48の一端に固定され、弾性を有する輪状の固定ガイド50は、連結部材48の連結軸49に緊固に設けられ、輪状の固定ガイド50は、光電子冷陰極蛍光灯42のカップリング継手51のギア歯52内に回動可能に挿入されている。輪状の固定ガイド50の内周表面上から少なくとも一つの噛合い歯53が突き出され、選択的に複数のギア歯52と噛合うために用いられ、連結部材48に対する光電子冷陰極蛍光灯42の回動位置を固定するようにし、ギア歯52は、上記カップリング継手51の外周表面上に均一的に形成されている。光電子冷陰極蛍光灯42は、上記カップリング継手51を介して連結部材48の連結軸49に回動可能に接続され、連結部材48と光電子冷陰極蛍光灯42との間の挟角を回動可能に調節するようになる。また、当該連結部材48の他端には、他の一つの光電子冷陰極蛍光灯54が接続されている。当該光電子冷陰極蛍光灯54は、連結部材48と回動可能に接続され、図16に示すように、接続孔55は、光電子冷陰極蛍光灯54の一端に設けられ、弾性を有する輪状の固定ガイド56は、光電子冷陰極蛍光灯54の接続孔55内に緊固に設けられ、輪状の固定ガイド56は、連結部材48のカップリング継手57のギア歯58に回動可能に挿入されている。輪状の固定ガイド56の内周表面上から少なくとも一つの噛合い歯59が突き出され、選択的に複数のギア歯58と噛合うために用いられ、連結部材48に対する光電子冷陰極蛍光灯54の回動位置を固定するようにし、ギア歯58は、カップリング継手57の外周表面上に均一的に形成されている。連結部材48は、上記カップリング継手57を介して光電子冷陰極蛍光灯54の接続孔55に回動可能に接続され、連結部材48と光電子冷陰極蛍光灯54との間の挟角を回動可能に調節するようになり、これにより、光源の照明角度を調節できるようになる。上記光電子冷陰極蛍光灯42と光電子冷陰極蛍光灯54の内部には、一本の省エネルギーの冷陰極蛍光灯管60が内蔵されている。
【００３１】
図9及び図10を参照するように、図9は、図1に示す携帯用の多用途光電子探照灯の他の状態の正面図であり、ここでは、照明角度が調節可能な二つの光電子冷陰極蛍光灯42、54は、いずれも灯体1との挟角が90°になる際の概略図を示す。図10は、図1に示す携帯用の多用途光電子探照灯のさらに他の状態の左側面図であり、ここでは、照明角度が調節可能な光電子冷陰極蛍光灯42は、灯体1との挟角が90°になるが、他の照明角度が調節可能な光電子冷陰極蛍光灯54は、光電子冷陰極蛍光灯42に対する挟角が180°や270°になる際の概略図を示す。
【００３２】
上記構造に基づいて、本実用新案の携帯用の多用途光電子探照灯は、下側に設けられた角度の調節が可能な長脚架18及び短脚架19により、当該探照灯を、例えばテーブルや、地面の支持表面上に安定に支持でき、照明するために用いられ、且つ、卓上スタンドとしても用いられることができ、ユーザーが把持する必要がなく、また、当該探照灯は、異なる側面に複数の照明光源が設けられ、ユーザーの必要に応じて適当に使用することができる。
【産業上の利用可能性】
【００３３】
本実用新案に係る携帯用の多用途光電子探照灯は、照明の輝度を、千万カンデラに達するエネルギーを実現でき、また、照明角度が調節可能な救急警告灯柱と、照明角度が調節可能な超光LED照射灯、および二つの照明角度が調節可能な光電子冷陰極蛍光灯は、いずれも省エネルギーランプを用いられることができ、野外の環境で照明を行うために用いられ、当該携帯用の多用途光電子探照灯は、更に特別な反防恐部隊、海陸空軍部隊、公安、消防、救急、紀律部隊、交通船、列車、及び民用の重要な超光源に適用し、家庭に必要な緊急用工具である。
【図面の簡単な説明】
【００３４】
【図１】本実用新案に係る携帯用の多用途光電子探照灯の正面図である。
【図２】図1に示す携帯用の多用途光電子探照灯の縦断面図である。
【図３】図1に示す携帯用の多用途光電子探照灯の平面図である。
【図４】図1に示す携帯用の多用途光電子探照灯の底面図である。
【図５】図1に示す携帯用の多用途光電子探照灯の左側面図である。
【図６】図1に示す携帯用の多用途光電子探照灯の右側面図である。
【図７】図1に示す携帯用の多用途光電子探照灯の背面図である。
【図８】図1に示す携帯用の多用途光電子探照灯の斜視図である。
【図９】図1に示す携帯用の多用途光電子探照灯の他の状態の正面図であり、照明角度が調節可能である、二つの光電子冷陰極蛍光灯は、いずれも灯体との挟角が90°になることを示すための概略図である。
【図１０】図1に示す携帯用の多用途光電子探照灯のさらに他の状態の左側面図であり、照明角度が調節可能である、二つの光電子冷陰極蛍光灯のうちの一つは、灯体との挟角が90°になり、二つの光電子冷陰極蛍光灯は、その挟角が相対的に180°と270°になることを示すための概略図である。
【図１１】図1に示す携帯用の多用途光電子探照灯の他の状態の背面図であり、救急警告灯柱は、灯体との挟角が90°になり、超光LED照射灯は、救急警告灯柱と90°、180°及び270°になることを示すための概略図である。
【図１２】図1に示す携帯用の多用途光電子探照灯の分解斜視図である。
【図１３】図1に示す携帯用の多用途光電子探照灯の救急警告灯柱と灯体の間の接続関係を示すための組立概略図である。
【図１４】図1に示す携帯用の多用途光電子探照灯の救急警告灯柱と超光LED照射灯の間の接続関係を示すための分解概略図である。
【図１５】図1に示す携帯用の多用途光電子探照灯の光電子冷陰極蛍光灯のうちの一つと灯体の間の接続関係を示すための組立概略図（一部の部品を省略）である。
【図１６】図1に示す携帯用の多用途光電子探照灯の光電子冷陰極蛍光灯と連結部材の間の接続関係を示すための組立概略図である。
【図１】
0003113977.tif 000003
【図２】
0003113977.tif 000004
【図３】
0003113977.tif 000005
【図４】
0003113977.tif 000006
【図５】
0003113977.tif 000007
【図６】
0003113977.tif 000008
【図７】
0003113977.tif 000009
【図８】
0003113977.tif 000010
【図９】
0003113977.tif 000011
【図１０】
0003113977.tif 000012
【図１１】
0003113977.tif 000013
【図１２】
0003113977.tif 000014
【図１３】
0003113977.tif 000015
【図１４】
0003113977.tif 000016
【図１５】
0003113977.tif 000017
【図１６】
0003113977.tif 000018